(57)【要約】【課題】蛍光ランプ交換時に、本体ケースからソケットカバーが離脱することを抑制できる蛍光灯ユニットにおけるソケットカバーの取付構造体を提供する。【解決手段】本体ケース１２に取り付けた蛍光ランプ１５のソケット１３を被覆する被覆位置Ｐ１と、ソケット１３を露出する露出位置Ｐ２との二位置間をスライド移動なソケットカバー１４を本体ケース１２に取り付けた蛍光灯ユニット１１におけるソケットカバー１４の取付構造体において、本体ケース１２には、それぞれ長手方向Ｌに沿って延びる一対のガイド凹条部１６を備え、ソケットカバー１４には、係止凹部と、係止段部とを備え、本体ケース１２には、ソケットカバー１４が被覆位置Ｐ１に位置する場合に係止凹部と係合し、かつソケットカバー１４が露出位置Ｐ２に位置する場合に係止段部に係合するスプリングピン２５を備えた。【選択図】      図１
2006049042.tif 000002
【特許請求の範囲】
【請求項１】
本体ケースに取り付けた蛍光ランプのソケットを被覆する被覆位置と、前記ソケットを露出する露出位置との二位置間をスライド移動なソケットカバーを前記本体ケースに取り付け、前記ソケットカバーが前記露出位置を基準として前記被覆位置とは反対側へ向けてスライド移動することにより該ソケットカバーが前記本体ケースから離脱する蛍光灯ユニットにおけるソケットカバーの取付構造体において、
前記本体ケースには、それぞれスライド方向に沿って延びる一対のガイド凹条部を備え、
前記ソケットカバーには、前記両ガイド凹条部にそれぞれスライド移動可能にガイドされる一対のガイドリブを備え、
前記ガイドリブには、第１係止部と、第２係止部とを備え、
前記本体ケースには、前記ソケットカバーが前記被覆位置に位置する場合に前記第１係止部と係合し、かつ前記ソケットカバーが前記露出位置に位置する場合に前記第２係止部に係合する係止突部を備えたことを特徴とする蛍光灯ユニットにおけるソケットカバーの取付構造体。
【請求項２】
前記本体ケースには、前記ソケットカバーが前記露出位置から前記被覆位置とは反対側へ向けてスライド移動することを規制する規制部材を備えたことを特徴とする請求項１に記載の蛍光灯ユニットにおけるソケットカバーの取付構造体。
【請求項３】
前記ソケットカバーは、その両端に前記ガイドリブがそれぞれ連結された断面Ｕ字状をなす遮蔽部を備え、
前記ガイド凹条部は、前記ガイドリブと前記遮蔽部とがなす隅部との接触を回避するための角丸め部が形成されていることを特徴とする請求項１又は請求項２に記載の蛍光灯ユニットにおけるソケットカバーの取付構造体。
【請求項４】
前記本体ケースと前記ソケットカバーとの間には、前記本体ケースと前記ソケットカバーとの接触のうち少なくとも一部を線接触とする線接触機構、又は前記本体ケースと前記ソケットカバーとの接触のうち少なくとも一部を点接触とする点接触機構を備えたことを特徴とする請求項１乃至請求項３のうちいずれか１項に記載の蛍光灯ユニットにおけるソケットカバーの取付構造体。
【発明の詳細な説明】
【技術分野】
【０００１】
本発明は、蛍光ランプを用いる照明器具である蛍光灯ユニットにおけるソケットカバーの取付構造体に関するものである。
【背景技術】
【０００２】
従来、蛍光ランプを用いて照明を行う照明器具として、図７及び図８（ａ）〜（ｄ）に示す蛍光灯ユニットが知られている。図７及び図８（ａ）〜（ｄ）の蛍光灯ユニット１０１は、一対のソケット１０２が取り付けられた本体ケース１０３、２つのソケットカバー１０４を備えている。蛍光灯ユニット１０１は、この両ソケット１０２間に蛍光ランプ１０５が取り付けられるように構成されている。本体ケース１０３及びソケットカバー１０４は、例えば、金属材料を用いて押出加工により形成されている。ソケットカバー１０４は、蛍光ランプ１０５交換時以外にソケット１０２を覆うことにより、蛍光灯ユニット１０１の見栄えを向上させるものである。ソケットカバー１０４がソケット１０２を覆っている状態では、蛍光ランプ１０５を交換する際に妨げとなるため、ソケットカバー１０４は本体ケース１０３に対してスライド移動可能となるように構成されている。
【発明の開示】
【発明が解決しようとする課題】
【０００３】
ところが、上記蛍光灯ユニット１０１は、ソケット１０２に取り付けられている蛍光ランプ１０５を交換する際に、両ソケット１０２を覆っている両ソケットカバー１０４を外方へスライド移動させるため、勢い余って本体ケース１０３からソケットカバー１０４が離脱してしまうことがあった。本体ケース１０３からソケットカバー１０４が離脱してしまうと、作業者は、そのソケットカバー１０４を本体ケース１０３に取り付けなければならず、蛍光ランプ１０５の交換作業効率が悪くなってしまうという問題があった。さらに、ソケットカバー１０４をスライド移動させた際に、ソケットカバー１０４の位置決めができないという問題があった。
【０００４】
本発明は、前述した事情に鑑みてなされたものであって、その目的は蛍光ランプ交換時に、本体ケースからソケットカバーが離脱することを抑制できる蛍光灯ユニットにおけるソケットカバーの取付構造体を提供することにある。
【課題を解決するための手段】
【０００５】
上記目的を達成するために、請求項１に記載の発明は、本体ケースに取り付けた蛍光ランプのソケットを被覆する被覆位置と、前記ソケットを露出する露出位置との二位置間をスライド移動なソケットカバーを前記本体ケースに取り付け、前記ソケットカバーが前記露出位置を基準として前記被覆位置とは反対側へ向けてスライド移動することにより該ソケットカバーが前記本体ケースから離脱する蛍光灯ユニットにおけるソケットカバーの取付構造体において、前記本体ケースには、それぞれスライド方向に沿って延びる一対のガイド凹条部を備え、前記ソケットカバーには、前記両ガイド凹条部にそれぞれスライド移動可能にガイドされる一対のガイドリブを備え、前記ガイドリブには、第１係止部と、第２係止部とを備え、前記本体ケースには、前記ソケットカバーが前記被覆位置に位置する場合に前記第１係止部と係合し、かつ前記ソケットカバーが前記露出位置に位置する場合に前記第２係止部に係合する係止突部を備えた。
【０００６】
請求項２に記載の発明は、請求項１に記載の発明において、前記本体ケースには、前記ソケットカバーが前記露出位置から前記被覆位置とは反対側へ向けてスライド移動することを規制する規制部材を備えた。
【０００７】
請求項３に記載の発明は、請求項１又は請求項２に記載の発明において、前記ソケットカバーは、その両端に前記ガイドリブがそれぞれ連結された断面Ｕ字状をなす遮蔽部を備え、前記ガイド凹条部は、前記ガイドリブと前記遮蔽部とがなす隅部との接触を回避するための角丸め部が形成されている。
【０００８】
請求項４に記載の発明は、請求項１乃至請求項３のうちいずれか１項に記載の発明において、前記本体ケースと前記ソケットカバーとの間には、前記本体ケースと前記ソケットカバーとの接触のうち少なくとも一部を線接触とする線接触機構、又は前記本体ケースと前記ソケットカバーとの接触のうち少なくとも一部を点接触とする点接触機構を備えた。
【０００９】
（作用）
請求項１に記載の発明によれば以下に示す作用を得る。本体ケースのソケットに取り付けている蛍光ランプを交換する場合には、被覆位置に位置するソケットカバーを、第１係止部と係止突部との係合を解除しつつ露出位置へ向けて移動させる。ソケットカバーが露出位置まで来ると、第２係止部と係止突部とが係合し、本体ケースに対してソケットカバーが位置決めされる。この位置決めがなされることにより、ソケットカバーは、本体ケースから離脱することが抑制される。ソケットカバーが露出位置に位置すると、ソケットが露出するのでソケットからの蛍光ランプの交換が可能となる。蛍光ランプを交換した後、ソケットカバーを、第２係止部と係止突部との係合を解除しつつ被覆位置へ向けて移動させる。ソケットカバーが被覆位置まで来ると、第１係止部と係止突部とが係合し、本体ケースに対してソケットカバーが位置決めされ、蛍光ランプ交換作業が完了する。
【００１０】
請求項２に記載の発明によれば、請求項１に記載の発明の作用に加えて以下に示す作用を得る。ソケットカバーを、被覆位置から露出位置へスライド移動させる際に、ソケットカバーが露出位置を超えた位置までスライド移動しようとしても、規制部材によりソケットカバーのスライド移動が規制される。この結果、蛍光ランプ交換時に、本体ケースからソケットカバーが離脱することがよりいっそう抑制される。
【００１１】
請求項３に記載の発明によれば、請求項１又は請求項２に記載の発明の作用に加えて以下に示す作用を得る。ガイドリブと遮蔽部とがなす隅部に対してガイド凹条部が接触しないため、本体ケースに対するソケットカバーのスライド移動を円滑に行える。ちなみに、もしガイドリブと遮蔽部とがなす隅部に対してガイド凹条部が接触するのであれば、ソケットカバーがスライド移動する際に、その隅部にガイド凹条部が食い込んでしまう状態となってしまうことがあり、円滑にスライド移動を行うことができないことがある。
【００１２】
請求項４に記載の発明によれば、請求項１乃至請求項３のうちいずれか１項に記載の発明の作用に加えて以下に示す作用を得る。線接触機構が設けられていることにより、本体ケースに対するソケットカバーのスライド移動を円滑に行える。または、点接触機構が設けられていることにより、本体ケースに対するソケットカバーのスライド移動を円滑に行える。
【発明の効果】
【００１３】
本発明によれば、蛍光ランプ交換時に、本体ケースからソケットカバーが離脱することを抑制できる。
【発明を実施するための最良の形態】
【００１４】
以下、本発明を具体化した一実施形態を図１〜図５に従って説明する。
図１（ａ）〜（ｄ）に示すように、蛍光灯ユニット１１は、本体ケース１２、一対のソケット１３、一対のソケットカバー１４を備えている。本体ケース１２及び両ソケットカバー１４は、金属材料（合成樹脂でもよい）を用いて押出加工により形成されている。
【００１５】
本体ケース１２は、その上部が図示しない天井に固定されている。本体ケース１２は、底面視（図１（ａ）参照）において長尺な四角形状に形成され、その短手辺が延びる方向が短手方向Ｓとされ、その長手辺が延びる方向がスライド方向としての長手方向Ｌとされている。
【００１６】
図２に示すように、本体ケース１２は、中央部１２ａと、その中央部１２ａの短手方向Ｓ両端に形成された傘部１２ｂとを備えている。
図１（ａ），（ｃ）に示すように、中央部１２ａの下面でかつ中央部１２ａの長手方向Ｌ両端側には、一対のソケット１３が固定されている。両ソケット１３間には、蛍光ランプ１５が取り付けられている。
【００１７】
図２に示すように、中央部１２ａの下面には、その凹所１６ａが短手方向Ｓにおいて互いに対向する一対のガイド凹条部１６を備えている。ガイド凹条部１６は、中央部１２ａの長手方向Ｌ全域に亘って形成されている（図１（ａ），（ｂ）参照）。詳述すると、図３に示すように、ガイド凹条部１６は、中央部１２ａの下面から延びるＬ字状の突出部１７を備えている。突出部１７の先端には、その先端から下方へ延びる突起部１８が形成されている。中央部１２ａの一部、突出部１７、及び突起部１８により、前記ガイド凹条部１６が構成されている。
【００１８】
図２に示すように、ソケットカバー１４は、断面Ｕ字状をなすと共にソケット１３を遮蔽可能な遮蔽部１４ａと、その遮蔽部１４ａの両端にそれぞれ一体に形成されたガイドリブ１４ｂとを備えている。両ガイドリブ１４ｂは、短手方向Ｓにおいて、遮蔽部１４ａの端部から互いに離れる方向へ延びるように形成されている。両ガイドリブ１４ｂは、一対の凹所１６ａにそれぞれ配設されている。この結果、ソケットカバー１４は、本体ケース１２に対して長手方向Ｌに沿ってスライド移動可能に構成されている。
【００１９】
次に、蛍光灯ユニット１１の特徴的な構成について説明する。
図２及び図３に示すように、中央部１２ａの凹所１６ａに対応した下面には、断面半円状の突条部２０が形成されている。突条部２０は、線接触機構に相当する。突条部２０は、中央部１２ａの長手方向Ｌ全域に亘って形成されている。突出部１７の先端部の上部が角丸め部２１となっている。この角丸め部２１は、突出部１７の長手方向Ｌ全域に亘って形成されている。突出部１７に角丸め部２１が形成されていることにより、突出部１７の先端部と、ガイドリブ１４ｂと遮蔽部１４ａとがなす隅部ｎとの接触を回避するようになっている。ガイドリブ１４ｂの上面が突条部２０に当接され、ガイドリブ１４ｂの下面が突出部１７の先端側の上面に当接され、遮蔽部１４ａの短手方向Ｓにおける両外側面Ｆ１が一対の突起部１８の短手方向Ｓにおける両内側面Ｆ２にそれぞれ当接されている。即ち、ソケットカバー１４は、本体ケース１２に対してガタツキを抑制するように取り付けられている。
【００２０】
図４に示すソケットカバー１４は、図１（ａ）の左側のソケットカバー１４を示し、図５に示すソケットカバー１４は、図１（ｃ）の左側のソケットカバー１４を示したものである。図４及び図５に示すように、ガイドリブ１４ｂは、遮蔽部１４ａに対して一体に連結された側が基端部であり、その先端部には、第１係止部としての係止凹部２２及び第２係止部としての係止段部２３が切欠き形成されている。ガイドリブ１４ｂにおいて、係止段部２３は、係止凹部２２が形成されている位置よりも長手方向内方Ｌｉ側に形成されている。
【００２１】
なお、長手方向内方Ｌｉとは、長手方向Ｌにおける本体ケース１２の端からその本体ケース１２の中央側へ向かう方向をいい、長手方向内方Ｌｉと逆の方向を長手方向外方Ｌｏという。
【００２２】
係止段部２３の底の角部２３ａの深さは、係止凹部２２の底面２２ａの深さと同じとされている。ガイドリブ１４ｂは、係止凹部２２と係止段部２３との間の部分の先端面が、そのガイドリブ１４ｂにおけるその他の部分の先端面よりも短手方向内方Ｓｉ側に位置するように、かつ係止段部２３の底の角部２３ａから短手方向外方Ｓｏ側に位置するように形成されている。
【００２３】
なお、短手方向内方Ｓｉとは、ガイドリブ１４ｂの先端から同ガイドリブ１４ｂの基端へ向かう方向をいい、短手方向内方Ｓｉと逆の方向を短手方向外方Ｓｏという。以下、ガイドリブ１４ｂにおける係止凹部２２と係止段部２３との間の部分の先端面を、ガイド面２４という。
【００２４】
ガイド面２４は、平行面２４ａと斜面２４ｂとを備えている。平行面２４ａは、ガイド面２４の長手方向Ｌ中央から係止凹部２２にかけて形成されており、斜面２４ｂは、ガイド面２４の長手方向Ｌ中央から係止段部２３にかけて形成されている。平行面２４ａは、係止凹部２２の底面２２ａよりも短手方向外方Ｓｏ側に位置するように形成されている。斜面２４ｂは、係止段部２３に向かうにつれ短手方向内方Ｓｉに向かうように形成され、かつ係止段部２３の底の角部２３ａに滑らかに繋がっている。即ち、ガイド面２４は、係止凹部２２から係止段部２３へ向けて切り込み深さが深くなるように形成されている。
【００２５】
本体ケース１２の中央部１２ａには、各ガイド面２４とほぼ対向するように断面Ｃ形状のスプリングピン２５が突き刺さった状態で固定されている。スプリングピン２５は、係止突部に相当する。スプリングピン２５は、弾性変形可能に構成されている。スプリングピン２５は、係止凹部２２と係合可能に、係止段部２３と係合可能に、さらには、ガイド面２４に摺接可能に、中央部１２ａに対して固定されている。詳述すると、スプリングピン２５がソケットカバー１４の係止凹部２２に係合している場合には、ソケットカバー１４がソケット１３を被覆する位置（以下、被覆位置Ｐ１という）に位置するように蛍光灯ユニット１１は構成されている。また、スプリングピン２５がソケットカバー１４の係止段部２３に係合している場合には、ソケットカバー１４がソケット１３を露出する位置（以下、露出位置Ｐ２という）に位置するように、蛍光灯ユニット１１は構成されている。
【００２６】
図１（ａ），（ｃ）及び図２に示すように、本体ケース１２の中央部１２ａには、４つの断面Ｃ形状のスプリングピン２６が突き刺さった状態で固定されている。このスプリングピン２６は、規制部材に相当する。スプリングピン２６は、弾性変形可能に構成されている。各スプリングピン２６は、短手方向Ｓにおいて前記各スプリングピン２５と同位置にそれぞれ配置されている。
【００２７】
各スプリングピン２６は、それぞれ対応するソケットカバー１４が露出位置Ｐ２から長手方向外方Ｌｏへ向けて所定量だけ移動した場合に、そのソケットカバー１４に当接することにより、そのソケットカバー１４のそれ以上の長手方向外方Ｌｏへの移動を防止している。ちなみに、ソケットカバー１４は、スプリングピン２６に当接している状態では、両ガイドリブ１４ｂがガイド凹条部１６から離脱しないようになっている。
【００２８】
従って、本実施形態によれば、以下の作用・効果を得ることができる。
（１）本体ケース１２のソケット１３に取り付けている蛍光ランプ１５を交換する場合には、被覆位置Ｐ１に位置するソケットカバー１４を、係止凹部２２とスプリングピン２５との係合を解除しつつ露出位置Ｐ２へ向けて移動させる。
【００２９】
この際、スプリングピン２５は、先ずガイド面２４の平行面２４ａに摺接し、その後、ガイド面２４の斜面２４ｂに摺接する。即ち、ガイド面２４が係止凹部２２から係止段部２３へ向けて切り込み深さが深くなるように形成されているため、ソケットカバー１４を露出位置Ｐ２へ向けて移動させてゆくと、スプリングピン２５とガイド面２４との摺接抵抗が次第に小さくなってゆく。この摺接抵抗が小さくなってゆくことにより、ソケットカバー１４を露出位置Ｐ２へ向けて移動させるにつれ軽い力で移動させることができる。このため、ソケットカバー１４を露出位置Ｐ２へ移動させるにあたり、ソケットカバー１４の係止段部２３をスプリングピン２５に静かに当接させることができる。係止段部２３をスプリングピン２５に静かに当接させることにより、ソケットカバー１４が露出位置Ｐ２を超えて長手方向外方Ｌｏへ向けて移動することを抑制できる。
【００３０】
ソケットカバー１４が露出位置Ｐ２まで来ると、係止段部２３とスプリングピン２５とが係合し、本体ケース１２に対してソケットカバー１４が位置決めされる。この位置決めがなされることにより、ソケットカバー１４は、露出位置Ｐ２から長手方向外方Ｌｏへ向けて移動することが抑制される。ソケットカバー１４が露出位置Ｐ２に位置すると、ソケット１３が露出するのでソケット１３からの蛍光ランプ１５の交換が可能となる。蛍光ランプ１５を交換した後、ソケットカバー１４を、係止段部２３とスプリングピン２５との係合を解除しつつ被覆位置Ｐ１へ向けて移動させる。
【００３１】
この際、スプリングピン２５は、先ずガイド面２４の斜面２４ｂに摺接し、その後、ガイド面２４の平行面２４ａに摺接する。即ち、ガイド面２４が係止段部２３から係止凹部２２へ向けて切り込み深さが浅くなるように形成されているため、ソケットカバー１４を被覆位置Ｐ１へ向けて移動させてゆくと、スプリングピン２５とガイド面２４との摺接抵抗が次第に大きくなってゆく。この摺接抵抗が大きくなってゆくことにより、ソケットカバー１４を被覆位置Ｐ１へ向けて移動させるにつれ大きな力で移動させることが必要となるが、その分、ガイド面２４（平行面２４ａ）と係止凹部２２の底面２２ａとの段差を確保でき、係止凹部２２とスプリングピン２５との係合を好適に維持できる。
【００３２】
ソケットカバー１４が被覆位置Ｐ１まで来ると、係止凹部２２とスプリングピン２５とが係合し、本体ケース１２に対してソケットカバー１４が位置決めされ、蛍光ランプ交換作業が完了する。よって、蛍光ランプ交換時に、本体ケース１２からソケットカバー１４が離脱することを抑制できる。
【００３３】
（２）ソケットカバー１４を、被覆位置Ｐ１から露出位置Ｐ２へスライド移動させる際に、ソケットカバー１４が露出位置Ｐ２を超えた位置までスライド移動しようとしても、スプリングピン２６にソケットカバー１４が当接することにより、ソケットカバー１４のそれ以上の長手方向外方Ｌｏへのスライド移動が防止される。よって、蛍光ランプ交換時に、本体ケース１２からソケットカバー１４が離脱することを確実に防止できる。
【００３４】
（３）図３に示すように、突出部１７の先端部の上部には、ガイドリブ１４ｂと遮蔽部１４ａとがなす隅部ｎとの接触を回避するための角丸め部２１を形成した。隅部ｎに対してガイド凹条部１６の先端部が接触しないため、本体ケース１２に対するソケットカバー１４のスライド移動を円滑に行える。ちなみに、もし隅部ｎに対してガイド凹条部１６の先端部が接触するのであれば、ソケットカバー１４がスライド移動する際に、その隅部ｎにガイド凹条部１６の先端部が食い込んでしまう状態となってしまうことがあり、円滑にスライド移動を行うことができないことがある。
【００３５】
（４）本体ケース１２における中央部１２ａの凹所１６ａに対応した下面に、断面半円状の突条部２０を形成した。即ち、この突条部２０により、本体ケース１２の中央部１２ａとソケットカバー１４のガイドリブ１４ｂとの接触を線接触となるようにした。中央部１２ａとガイドリブ１４ｂとを線接触としたことにより、それらを面接触とした場合に比して摺動抵抗を軽減でき、本体ケース１２に対するソケットカバー１４のスライド移動を円滑に行うことができる。また、蛍光灯ユニット１１は、ガイドリブ１４ｂの上面を突条部２０に当接させ、ガイドリブ１４ｂの下面を突出部１７の先端側の上面に当接させ、遮蔽部１４ａの両外側面Ｆ１を一対の突起部１８の両内側面Ｆ２にそれぞれ当接させることにより、ソケットカバー１４を本体ケース１２に対してガタツキを抑制するように取り付けていた。このように、ソケットカバー１４と本体ケース１２との間のガタツキを抑制するように構成したことにより、蛍光灯ユニット１１を車両などの振動が発生するものに対して取り付けても、ガタツキ音の発生が抑制される。さらには、ソケットカバー１４と本体ケース１２とのガタツキを抑制するように構成したにも拘わらず、中央部１２ａとガイドリブ１４ｂとを線接触としたことにより、本体ケース１２に対してソケットカバー１４を円滑にスライド移動させることができる。よって、蛍光灯ユニット１１は、ガタツキ音を抑制しつつ、蛍光ランプ交換作業を円滑に行うことができる。
【００３６】
（５）突条部２０は、本体ケース１２を押出加工により形成する際に、同時に形成することができる。よって、本体ケース１２と突条部２０とを各別で形成し、それらを後で互いに固定する場合に比して、蛍光灯ユニット１１の製作コストを低減することができる。
【００３７】
（６）スプリングピン２５は、断面Ｃ形状に形成されており、弾性変形可能となっている。そのため、係止凹部２２とスプリングピン２５との係合を解除する際、係止段部２３とスプリングピン２５との係合を解除する際に、スプリングピン２５が弾性変形することにより、好適に上記解除を行うことができる。
【００３８】
なお、前記実施形態は、以下の態様に変更してもよい。
・前記実施形態では、中央部１２ａの凹所１６ａに対応した下面にのみ、断面半円状の突条部２０を形成していた。これに限らず、図６（ａ）に示すように、突出部１７の先端側の上面に断面半円状の突条部３０を形成してもよい。突条部３０は、線接触機構に相当する。また、突条部２０を省略し、突条部３０のみ突出部１７の先端側の上面に形成するようにしてもよい。
【００３９】
・また、図６（ｂ）に示すように、前記突条部３０と角丸め部２１とを兼用した突条部３１を、突出部１７の先端部の上面に形成してもよい。突条部３１は、角丸め部及び線接触機構に相当する。
【００４０】
・前記実施形態では、中央部１２ａに突条部２０を形成していた。これに限らず、図６（ｃ）に示すように、突条部２０をガイドリブ１４ｂの上面及び下面に形成してもよい。また、ガイドリブ１４ｂの上面及び下面のうち少なくとも一方に突条部２０を形成するようにしてもよい。
【００４１】
・前記実施形態では、本体ケース１２の中央部１２ａに、その中央部１２ａの長手方向Ｌ全域に亘って断面半円状の突条部２０を形成していた。これに限らず、中央部１２ａの凹所１６ａに対応した下面に、半球状の突部を形成し、その突部により本体ケース１２の中央部１２ａとソケットカバー１４のガイドリブ１４ｂとの接触を点接触となるように蛍光灯ユニット１１を構成してもよい。この突部は、点接触機構に相当する。このように構成すると、中央部１２ａとガイドリブ１４ｂとの接触を線接触とした場合に比して、接触面積が少ない分、よりいっそう本体ケース１２に対するソケットカバー１４のスライド移動を円滑に行うことができる。
【００４２】
・前記実施形態では、突出部１７の先端部の上部を、円弧をなす角丸め部２１としていたが、この突出部１７の先端部の上部に斜面を形成してもよい。即ち、この突出部１７の先端部の上部に面取りを形成してもよい。
【００４３】
・前記実施形態では、突出部１７の先端部の上部を角丸め部２１としていたが、これに限らず、角張った角部としてもよい。
・前記実施形態では、蛍光灯ユニット１１にスプリングピン２６を備えていたが、このスプリングピン２６を省略してもよい。
【００４４】
・前記実施形態において、断面Ｃ形状のスプリングピン２５の代わりに、係止突部としての円柱状の係止ピンや、係止突部としての円筒状の係止ピンを用いてもよい。また、断面Ｃ形状のスプリングピン２６の代わりに、規制部材としての円柱状の係止ピンを用いてもよい。
【００４５】
・前記実施形態では、蛍光灯ユニット１１は突条部２０及び角丸め部２１を備えていたが、それらを省略してもよい。即ち、蛍光灯ユニット１１は、図７、図８（ａ）〜（ｄ）に示す蛍光灯ユニット１０１に、係止凹部２２、係止段部２３、ガイド面２４、スプリングピン２５，２６を備えた構成とし、本体ケース（１２）の中央部（１２ａ）とソケットカバー１４のガイドリブ（１４ｂ）とが面接触となるように構成してもよい。
【００４６】
次に、上記実施形態及びその態様の変更から把握できる技術的思想について以下に追記する。
（イ）前記第１係止部は、前記ガイドリブの先端部に切欠き形成された係止凹部であり、前記第２係止部は、前記ガイドリブの先端部に切欠き形成された係止段部であり、前記ガイドリブにおける前記係止凹部と前記係止段部との間には、前記係止凹部から前記係止段部へ向けて切り込み深さが深くなるガイド面を備えたことを特徴とする請求項１乃至請求項３のうちいずれか１項に記載の蛍光灯ユニットにおけるソケットカバーの取付構造体。このように構成すると、ガイド面が係止凹部から係止段部へ向けて切り込み深さが深くなるように形成されているため、ソケットカバーを被覆位置から露出位置へ向けて移動させてゆくと、係止突部とガイド面との摺接抵抗が次第に小さくなってゆく。この摺接抵抗が小さくなってゆくことにより、ソケットカバーを被覆位置から露出位置へ向けて移動させるにつれ軽い力で移動させることができる。このため、ソケットカバーを被覆位置から露出位置へ移動させるにあたり、ソケットカバーの係止段部を係止突部に静かに当接させることができる。係止段部を係止突部に静かに当接させることにより、ソケットカバーが露出位置を超えて本体ケースから離脱することが抑制される。
【図面の簡単な説明】
【００４７】
【図１】（ａ）は、本実施形態のソケットカバーが被覆位置にある蛍光灯ユニットの底面図。（ｂ）は、本実施形態の蛍光灯ユニットの側面図。（ｃ）は、本実施形態のソケットカバーが露出位置にある蛍光灯ユニットの底面図。（ｄ）は、本実施形態の蛍光灯ユニットの側面図。
【図２】本実施形態の蛍光灯ユニットの側面図。
【図３】図２の部分拡大図。
【図４】図１（ａ）と対応し、ソケットカバーとスプリングピンとの関係を示す作用図。
【図５】図１（ｃ）と対応し、ソケットカバーとスプリングピンとの関係を示す作用図。
【図６】（ａ）〜（ｃ）は、態様の変更における蛍光灯ユニットの部分拡大側面図。
【図７】従来技術の蛍光灯ユニットの側面図。
【図８】（ａ）は、従来技術のソケットカバーが被覆位置にある蛍光灯ユニットの底面図。（ｂ）は、従来技術の蛍光灯ユニットの側面図。（ｃ）は、従来技術のソケットカバーが露出位置にある蛍光灯ユニットの底面図。（ｄ）は、従来技術の蛍光灯ユニットの側面図。
【符号の説明】
【００４８】
１１…蛍光灯ユニット、１２…本体ケース、１３…ソケット、１４…ソケットカバー、１４ａ…遮蔽部、１４ｂ…ガイドリブ、１５…蛍光ランプ、１６…ガイド凹条部、２０…線接触機構としての突条部、２１…角丸め部、２２…第１係止部としての係止凹部、２３…第２係止部としての係止段部、２５…係止突部としてのスプリングピン、２６…規制部材としてのスプリングピン、Ｌ…スライド方向としての長手方向、ｎ…隅部、Ｐ１…被覆位置、Ｐ２…露出位置。
【図１】
2006049042.tif 000003
【図２】
2006049042.tif 000004
【図３】
2006049042.tif 000005
【図４】
2006049042.tif 000006
【図５】
2006049042.tif 000007
【図６】
2006049042.tif 000008
【図７】
2006049042.tif 000009
【図８】
2006049042.tif 000010